(57)【要約】  【課題】モニター画面を大型化することなく、モニター画面の視認性を向上させて作業効率を上げる。  【解決手段】有線式又は無線式のモニター画面１６又は１７をキャビン８内に設けて成る建設機械のモニター画面取付装置において、モニター画面固定部１３，１４，１５をキャビン８内の複数箇所に設け、該モニター画面固定部１３，１４，１５の何れかにモニター画面１６又は１７を着脱可能に固定する。有線式のモニター画面１６の場合には、モニター画面固定部１３，１４，１５の所定箇所にモニター画面接続用のコネクター１８が配備される。又、無線式のモニター画面１７の場合には、モニター画面１７に受信器１９が内蔵され、且つ、受信器１８に表示用データ信号を外部から送信するための発信器２０が具備される。【選択図】図２
2010105569.tif 000002
【特許請求の範囲】
【請求項１】
キャビン内に有線式のモニター画面が配設された建設機械のモニター画面取付装置において、前記キャビン内の複数箇所に、モニター画面接続用のコネクターを有するモニター画面固定部が設けられ、該モニター画面固定部の何れか１箇所に前記モニター画面を着脱可能に固定できるように構成したことを特徴とする建設機械のモニター画面取付装置。
【請求項２】
キャビン内に無線式のモニター画面が配設された建設機械のモニター画面取付装置において、前記キャビン内の複数箇所にモニター画面固定部が設けられ、該モニター画面固定部の何れか１箇所に前記モニター画面を着脱可能に固定できるように構成したことを特徴とする建設機械のモニター画面取付装置。
【発明の詳細な説明】
【技術分野】
【０００１】
本発明は建設機械のモニター画面取付装置に関するものであり、特に、キャビン内に有線式又は無線式のモニター画面が設けられた建設機械のモニター画面取付装置に関するものである。
【背景技術】
【０００２】
従来、此種建設機械は、下部走行体上に上部旋回体が旋回可能に搭載され、該上部旋回体の前方一側部にキャビンが配設されている。そして、該キャビン内には運転席が設置されていると共に、該運転席の側方近傍には操作レバーが設置されている。
【０００３】
また、運転席の前方下部には走行レバーが設置されている。更に、該運転席の前方部又は側方部には有線式又は無線式のモニター画面が固定して設置されている（例えば、特許文献１参照）。
【特許文献１】特開２００５−３０７４８３号公報
【発明の開示】
【発明が解決しようとする課題】
【０００４】
上記モニター画面はキャビン内の１箇所に固定して設置されているので、オペレータの体格、姿勢又は作業操作内容等によってはモニター画面の目視が困難になる。かかる場合は、モニター画面の視認性が低下して、作業操作性及び作業効率が悪化するという問題があった。
【０００５】
前記問題を解決するためには、例えばモニター画面の表示画面部を大型化することが考えられるが、この場合にはキャビン内のスペースが限られているので、所要の作業空間が確保されなくなる。
【０００６】
そこで、モニター画面を大型化することなく、該モニター画面の視認性を向上させて作業効率をアップさせるために解決すべき技術的課題が生じてくるのであり、本発明はこの課題を解決することを目的とする。
【課題を解決するための手段】
【０００７】
本発明は上記の目的を達成するために提案されたものであり、請求項１記載の発明は、キャビン内に有線式のモニター画面が配設された建設機械のモニター画面取付装置において、前記キャビン内の複数箇所に、モニター画面接続用のコネクターを有するモニター画面固定部が設けられ、該モニター画面固定部の何れか１箇所に前記モニター画面を着脱可能に固定できるように構成したことを特徴とする建設機械のモニター画面取付装置を提供する。
【０００８】
この構成によれば、キャビンの複数箇所にモニター画面接続用コネクターを有するモニター画面固定部を設けたので、モニター画面を設置する際、オペレータは、複数箇所のモニター画面固定部のうちから最も視認し易い１箇所を選定して、当該箇所に有線式のモニター画面を固定する。そして、該モニター画面にモニター画面固定部側のコネクターを接続することにより、モニター画面に各種情報が表示される。
【０００９】
請求項２記載の発明は、キャビン内に無線式のモニター画面が配設された建設機械のモニター画面取付装置において、前記キャビン内の複数箇所にモニター画面固定部が設けられ、該モニター画面固定部の何れか１箇所に前記モニター画面を着脱可能に固定できるように構成したことを特徴とする建設機械のモニター画面取付装置を提供する。
【００１０】
この構成によれば、キャビン内の複数箇所にモニター画面固定部を設けたので、モニター画面を設置する際、オペレータは請求項１記載の発明と同様に無線式のモニター画面を設置できる。即ち、複数箇所のモニター画面固定部のうちから最も視認し易い１箇所を選定して、当該箇所に無線式のモニター画面を固定する。そして、無線式のモニター画面に内蔵された受信器に外部から表示用のデータ信号を送信することにより、モニター画面に各種情報が表示される。
【発明の効果】
【００１１】
請求項１記載の発明は、オペレータの体格、姿勢又は作業操作内容等に応じて、複数箇所のモニター画面固定部のうちで最適な箇所に有線式のモニター画面を設置できるので、モニター画面をより見易い設置環境に設定でき、以て、モニター画面の視認性が改善して、作業操作性及び作業効率を向上させることができる。
【００１２】
請求項２記載の発明は、オペレータの体格、姿勢又は作業操作内容等に応じて、複数箇所のモニター画面固定部のうちで最適な箇所に無線式のモニター画面を設置できるので、請求項１記載の発明と同様の効果、即ち、モニター画面をより見易い設置環境に設定でき、モニター画面の視認性が改善して作業操作性及び作業効率を向上させることができる。又、モニター画面固定部にはモニター画面接続用のコネクターを設ける必要がないので、構造の簡素化が図られる。
【発明を実施するための最良の形態】
【００１３】
本発明は、モニター画面を大型化することなく、該モニター画面の視認性を向上させて操作作業性を改善するという目的を達成するために、キャビン内に有線式のモニター画面が配設された建設機械のモニター画面取付装置において、前記キャビン内の複数箇所に、モニター画面接続用のコネクターを有するモニター画面固定部が設けられ、該モニター画面固定部の何れか１箇所に前記モニター画面を着脱可能に固定できるように構成したことによって実現した。
【実施例】
【００１４】
以下、本発明に係る好適な一実施例を図１乃至図４に従って説明する。本実施例は油圧ショベルに適用したものであるが、本発明はこれに限定されるべきではなく、油圧ショベル以外の建設機械のモニター画面取付装置にも適用可能である。
【００１５】
図１において、油圧ショベル１の下部走行体２上には上部旋回体３が旋回フレーム４を介して旋回可能に搭載されている。又、上部旋回体３の前方中央部にはブーム５が俯仰動可能に設けられていると共に、該ブーム５の先端部にはアーム６が上下回動可能に枢着されている。さらに、アーム６の先端部にはバケット７が上下回動可能に取り付けられている。
【００１６】
上部旋回体３の前方一側部にはキャビン８が配設されている。図２はキャビン８内を示す斜視図である。同図に示すように、キャビン８内には運転席１０が設置され、該運転席１０の左右両側近傍には、左操作レバー１１及び右操作レバー１２が設置されている。また、運転席１０の前方下部には走行レバー９が設けられている。
【００１７】
更に、キャビン８内における複数箇所にはモニター画面固定部が設けられている。図示例では、キャビン８内における前方下部、前方天井部及び側方中間部の３箇所にモニター画面固定部１３，１４，１５が設けられている。尚、本発明に係るモニター画面固定部は図示例に限定されるべきではなく、キャビン８内における前方下部、前方天井部及び側方中間部の３箇所以外に設けることも可能である。
【００１８】
従って、オペレータは体格、姿勢又は作業操作内容などに応じて、モニター画面固定部１３，１４，１５の何れか１箇所、即ち、オペレータが最も見易いモニター画面固定部１３，１４又は１５を選定して、該選定した箇所に前記有線式のモニター画面１６又は無線式のモニター画面１７を着脱可能に固定できるように構成されている。
【００１９】
ここで、有線式のモニター画面１６を設置する場合には、図３に示すように、モニター画面固定部１３，１４，１５の所定箇所にモニター画面接続用のコネクター１８が配備される。依って、モニター画面固定部１３，１４，１５の何れの箇所に有線式のモニター画面１６を設置した場合でも、該モニター画面１６に設けた接続ポートに前記コネクター１８を接続することにより、該モニター画面１６に各種機器類の作業状況データなどの情報が表示可能になる。
【００２０】
又、無線式のモニター画面１７を設置する場合には、図４に示すように、該モニター画面１７には受信器１９が内蔵されているため、該受信器１９に発信器２０から表示用データ信号が送信される。これにより、該モニター画面１７に各種機器類の作業状況データなどの情報が表示可能になる。
【００２１】
尚、前記発信器２０はキャビン８内の適宜箇所、例えば、運転席１０の近傍に設けた操作パネル（図示せず）に配設することができる。
【００２２】
以上の如く本発明によると、有線式のモニター画面１６の場合には、キャビン８内の複数箇所に、モニター画面接続用コネクター１８を有するモニター画面固定部１３，１４，１５を設けたので、該モニター画面固定部１３，１４，１５のうちで最適な箇所、即ち、オペレータの体格、姿勢又は作業操作内容等に応じて最も見易い１箇所を選定して、当該箇所に有線式のモニター画面１６を容易に取り付けることができる。
【００２３】
斯くして、オペレータは、有線式のモニター画面１６をより見易い設置環境に固定して使用できるので、モニター画面１６の視認性が向上して、作業操作性及び作業効率が大幅にアップする。
【００２４】
更に、モニター画面１６を大型化する必要がないので、キャビン８内のスペースが狭小である場合にも容易に適用することができる。
【００２５】
又、受信器１９を内蔵した無線式のモニター画面１７を設置した場合も、上記同様に、オペレータの体格、姿勢又は作業操作内容等に応じて最も見易いモニター画面固定部１３，１４又は１５の１箇所を選定して、当該箇所に無線式のモニター画面１７を容易に取り付けることができる。
【００２６】
斯くして、オペレータは、無線式のモニター画面１７をより見易い設置環境に固定して使用できるので、モニター画面１７の視認性が向上して、作業操作性及び作業効率がアップする。
【００２７】
特に、無線式のモニター画面１７の場合には、モニター画面固定部１３，１４，１５に上記コネクター１８を配線する必要がないので、モニター画面固定部１３，１４，１５の構造が簡素化する利点を有する。
【００２８】
尚、本発明は、本発明の精神を逸脱しない限り種々の改変を為すことができ、そして、本発明が該改変されたものに及ぶことは当然である。
【図面の簡単な説明】
【００２９】
【図１】本発明の一実施例を示し、建設機械としての油圧ショベルの側面図。
【図２】一実施例に係るキャビンの内部を部示す斜視図。
【図３】一実施例に係る有線式のモニター画面を固定するためのモニター画面固定部を示す正面図。
【図４】一実施例に係る無線式のモニター画面を示す正面図。
【符号の説明】
【００３０】
１    油圧ショベル
２    下部走行体
３    上部旋回体
８    キャビン
１０  運転席
１３〜１５  モニター画面固定部
１６  有線式のモニター画面
１７  無線式のモニター画面
１８  コネクター
１９  受信器
２０  発信器
【図１】
2010105569.tif 000003
【図２】
2010105569.tif 000004
【図３】
2010105569.tif 000005
【図４】
2010105569.tif 000006